(57)【特許請求の範囲】
【請求項１】
所定直径の小円板体であって、その他周側面に連続する円形表裏各面の夫々の外縁がわ任意幅部分を当該小円板体の最大肉厚寸法に規制したリム部に形成すると共に、該リム部に囲まれた円形表裏各面の夫々の中央所定範囲を、当該小円板体の最大肉厚寸法を超えない範囲に残された中央隆起面とし、表裏面のリム部を除いた中央隆起面を含む表裏面の主要面範囲に絵柄や文字、またはそれらの組合せからなる所望の標識が、当該小円板体の最大肉厚寸法を超えない範囲の凹凸部分として表してある識別表示面に形成するようにした上、それら円形表裏各面の夫々のリム部内周縁と中央隆起面外周縁との間に、各中央隆起面を包囲するようにした凹部で、それら各凹部の最も低い（浅い、あるいは薄い）底状部分同士が表裏一致するよう規制して配され、且つ人体における親指やその他の指の指先摘持面の曲率半径の一般的値よりも僅かに大きな曲率半径Ｒに設定したもので、しかも小円板体の中心から同一半径となる箇所の表裏面に対称形状をなしており、指先の曲面形状にも良く馴染み、コイン周回り全方位の何れからであっても、親指とこれに対峙する他の指先との間に容易且つ確実に挾持することができるようにした摘持用の環状凹部を形成し、各中央隆起面外周縁と各環状凹部内周縁との輪郭部分、ならびに、各環状凹部外周縁とリム部内周縁との輪郭部分の夫々は、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成してなるものとしたことを特徴とするコイン。
【請求項２】
所定直径の小円板体であって、その他周側面に連続する円形表裏各面の夫々の外縁がわ任意幅部分を当該小円板体の最大肉厚寸法に規制したリム部に形成すると共に、該リム部に囲まれた円形表裏各面の夫々の小円板体の中心に同心状となる円形状の少なくとも輪郭範囲を、当該小円板体の最大肉厚寸法を超えない範囲に残された中央隆起面とし、表裏面のリム部を除いた中央隆起面を含む表裏面の主要面範囲に絵柄や文字、またはそれらの組合せからなる所望の標識が、当該小円板体の最大肉厚寸法を超えない範囲の凹凸部分として表してある識別表示面に形成するようにした上、それら円形表裏各面の夫々のリム部内周縁と中央隆起面外周縁との間に、各中央隆起面を包囲するようにした凹部で、それら各凹部の最も低い（浅い、あるいは薄い）底状部分同士が表裏一致するよう規制して配され、且つ人体における親指やその他の指の指先摘持面の曲率半径の一般的値よりも僅かに大きな曲率半径Ｒに設定したもので、しかも小円板体の中心から同一半径となる箇所の表裏面に対称形状をなしており、指先の曲面形状にも良く馴染み、コイン周回り全方位の何れからであっても、親指とこれに対峙する他の指先との間に容易且つ確実に挾持することができるようにした摘持用の環状凹部を、当該小円形体中心から同心状配置となる配置関係とするよう表裏面の対称箇所に対応させるよう形成し、各中央隆起面外周縁と各環状凹部内周縁との輪郭部分、ならびに、各環状凹部外周縁とリム部内周縁との輪郭部分の夫々は、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成してなるものとしたことを特徴とするコイン。                                                                                  
【発明の詳細な説明】
【技術分野】
【０００１】
この発明は、コインやメダルおよび貨幣用硬貨等の製造および利用等に関連するあらゆる分野をその技術分野とするものであり、特に遊技媒体コインの製造技術、利用技術、洗浄技術等の分野は勿論のこと、コインの製造に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                              
【背景技術】
【０００２】
（着目点）
我が国には、身近な娯楽施設として成人向けのパチンコ・パチスロ店や、幼児から大人までの広い年齢層を対象としたゲームセンター等、様々な遊技場が提供されており、そうした店舗では、利用者が現金をカード型や球体型、コイン型等の各種遊技媒体に交換するプリペイド方式が採用されており、一般には、現金または磁気カードやＩＣカード等のプリペイドカードを用いて所望する量のパチンコ玉を借り入れパチンコ台に投入し、あるいは金属製コインの所望量を一時的に借り入れてパチスロ機に投入し、もしくは各種ゲーム機等にコインを投入して夫々の遊技を楽しむという営業形式が採られており、利用者がパチンコ玉やコイン等を手にして店内を自由に移動し、希望するゲーム機等に必要量を投じて楽しむのが一般的である。
【０００３】
このように、様々な人々が手にするパチンコ玉やコイン類は、常にパチンコ機あるいはパチスロ機内、およびそれらに繋がる店内搬送経路内等を通じて循環、利用されると共に、利用者によっては、煙草を吹かしたり食べ物を持った手で玉などの出し入れをすることもあれば、不注意で玉などを床に落下させてしまったりすることも多く、それら様々な場面で埃や手垢等汚れを付着させてしまうために、娯楽施設の運営者は、こうした汚れを専用の洗浄機等を用いて十分に洗浄、乾燥させるようにし、十分な衛生対策を施した上で再度店内に循環させるよう心掛け、それら汚れたパチンコ玉やコイン類によって施設利用者に不快な思いをさせないよう細心の注意が払われている。
【０００４】
しかしながら、パチスロ機やその他のゲーム機等に利用される遊興用コイン１は、例えば、図７の従来型コインの断面図中に示すもののように、最も一般的なものでは、直径Ｄが２５ｍｍ、厚さＴが１．２ｍｍの真鍮、ステンレス、洋白等の金属製小円板状であって、外周縁に厚さｔが１．６ｍｍ、幅ｗが０．７ｍｍの周縁リム部２が表裏両側面に突出状に巡らされ、中央縦断面形において概略Ｉ字型のものに形成されており、特に表裏中央面に、夫々の営業店舗のロゴマーク、その他装飾を光沢または梨地仕上げとなるよう刻印し、必要に応じて適宜キリンス処理や鍍金等の表面処理を施して美しい仕上がりとされるのが一般的であり、表裏面刻印の溝や段差部分および周縁リム部２の角隅２１の部分等に埃や塵、手垢等が付着し易く、専用の洗浄機を用いて洗浄した場合にあっても、周縁リブ２の角隅２１の部分に入り込んで長い間に付着、固化してしまった汚れは、そう簡単には取り除くことができず、管理者を悩ませているというのが実情であった。
【０００５】
（従来の技術）
そうした中にも、その打開策となるようなものとして、例えば特開２００６−６６００号公報「遊技媒体の汚れ取り体」発明として提案されているもののように、所定の質量に設定された中核部材の表面に、遊技媒体との接触によって接触部分が弾性変形を呈し、上記遊技媒体の表面の汚れを付着してしまう非金属弾性材料製の弾性変形付着層を設けたものとし、当該弾性変形付着層が遊技媒体と接触して弾性変形することによって弾性変形付着層と遊技媒体との接触圧が高くなり、遊技媒体表面の手垢や油脂類を弾性変形付着層側に確実に付着させて汚れ取りが促進されるようにしたものや、あるいは、特開２００３−１９６７０３号公報に開示された「メダル洗浄装置」発明のように、メダルと水分を含んだ研磨材とを混在させて洗浄する洗浄部と、メダルと水分を含んだ研磨材とをそれぞれ分離するように洗浄部に隣接した分離部と、上記分離部で分離した水分を含んだ研磨材を上記洗浄部に循環する循環手段とから成り、上記洗浄部は、メダルと水分を含んだ研磨材とを混在させ振動手段の振動によってメダルを研磨し、上記分離部は、水槽内にメダルと水分を含んだ研磨材とを浸漬させながら振動手段の振動によってメダルと水分を含んだ研磨材とを分離する構成のメダル洗浄装置とし、洗浄すべきメダル類と水分を含んだ研磨材とが洗浄部内に混在し、洗浄部と分離部とが振動手段によって振動することとなり、先ず洗浄部内部（洗浄分離筒部）の案内部に当たり、または弾き飛ばされ、その際、メダル類と水分を含んだ研磨材とが接触・摺接することにより、メダル類の表面（模様部分等）を綺麗に研磨・洗浄できるようにしたもの等が散見される。
【０００６】
しかし、前者の「遊技媒体の汚れ取り体」発明は、遊技メダルの角部が汚れ取り体の食込み部で接触し、手垢や油脂等の汚れが確実に拭き取られるようにしたものではあるものの、膨大な数のコイン全てに確実に弾性変形付着層を圧接状に接触させ、しかもその汚れを残さず除去することは、かなりの困難を伴うものと云わざるを得ず、しかも、当然のことながら、比較的短期間の中に弾性変形付着層の摩耗や拭き取り性能の低下が起こることが懸念され、コインの洗浄処理における経済的負担が大きくなるという欠点を有するものであり、他方、後者の「メダル洗浄装置」発明は、上記メダル洗浄装置の洗浄部で使用する合成樹脂（ナイロン製のペレット）等からなる研磨材は、一般的に使用されている円筒形に形成したものであっても良いが、特に、角張った形状（例えば、先端が潰れた形状や多面体形状等）から成る研磨材を使用しても、水分を含んでいることから、研磨・洗浄の際にメダル類の外周縁部やメダル表面に刻設された模様部分等が磨り潰されることもなく、また研磨粉や屑等の発生も防ぐと共に、メダル類の表面に刻設された模様部分等に付着した汚れまでも効果的に研磨・洗浄するとしているものの、メダル類表裏面に刻印された模様部分や外周縁部を効果的に洗浄するには異形状のペレット（研磨材）が必要であって、これら先端が潰れた形状や多面体形状のペレットは、その先鋭状部分が比較的短期間の中に摩耗し、洗浄効果を大幅に低下させてしまうことが容易に予想されるものであり、十分な洗浄効果を維持するには常に新しい研磨材を使用しなければならず、しかも使用済み研磨材の処理や再生利用等のコストも発生してしまうことなど、経済的な負担が大きいという欠点を残していた。                                                                                                    
【特許文献１】（１）特開２００６−６６００号公報    （２）特開２００３−１９６７０３号公報
【発明の開示】
【発明が解決しようとする課題】
【０００７】
（問題意識）
上述したとおり、従前までに提案のある「遊技媒体の汚れ取り体」や「メダル洗浄装置」等は、何れもコイン（メダル）の表裏面および周縁部分に弾性変形付着層を接触させて拭き取り、あるいは研磨材を接触させて振動を加える等の洗浄処理を行うことにより、コイン（メダル）の表裏面刻印模様の溝や段差部分、および周縁部分の角隅等に付着した汚れを除去しようとしているが、それらはコインやメダルに直接的に接触して汚れを除去する弾性変形付着層や研磨材等の弾性あるいは外郭形状に基づく洗浄性能に依存するものであり、弾性変形付着層の弾性が劣化して硬化し、拭き取り性能が低下したときや、摩耗によって破損してしまったとき等に頻繁に交換する必要がある外、研磨材が摩耗して丸みを帯び、コイン表裏面の刻印模様の溝や段差部分および周縁部の角隅等に接触しなくなったときには、研磨材を新しいものと交換しなければならず、何れの場合にも、膨大な枚数のコイン（メダル）を洗浄処理する遊技施設等にあっては経済的負担が大き過ぎ、これら洗浄装置に係る維持経費の削減は焦眉の課題であるにも拘らず、現状、放置されているというのが現状である。
【０００８】
（発明の目的）
そこで、この発明は、日々繰り返されるコインの洗浄処理技術を改善するよりも、一度生産してしまえば、摩耗や破損が進むまで研磨や表面再仕上げ処理等を行いながら長期間に亘って利用し続けられる筈であると考え、コイン側の形状そのものを洗浄に適するものとしてしまえば、毎日のように繰り返される洗浄処理のコストを大幅に削減できるのではないかとの発意に基づき、洗浄装置側ではなく、従前までとは全く逆に、洗浄性能を高めることができる新たなコイン形状の開発はできないものかとの判断から、逸速くその開発、研究に着手し、長期に渡る試行錯誤と幾多の試作、実験とを繰り返してきた結果、今回、遂に新規な構造のコインを実現化することに成功したものであり、以下では、図面に示すこの発明を代表する実施例と共に、その構成を詳述することとする。                                                                                              
【課題を解決するための手段】
【０００９】
（発明の構成）
図面に示すこの発明を代表する実施例からも明確に理解されるように、この発明のコインは、基本的に次のような構成から成り立っている。
即ち、所定直径の小円板体であって、その他周側面に連続する円形表裏各面の夫々の外縁がわ任意幅部分を当該小円板体の最大肉厚寸法に規制したリム部に形成すると共に、該リム部に囲まれた円形表裏各面の夫々の中央所定範囲を、当該小円板体の最大肉厚寸法を超えない範囲に残された中央隆起面とし、表裏面のリム部を除いた中央隆起面を含む表裏面の主要面範囲に絵柄や文字、またはそれらの組合せからなる所望の標識が、当該小円板体の最大肉厚寸法を超えない範囲の凹凸部分として表してある識別表示面に形成するようにした上、それら円形表裏各面の夫々のリム部内周縁と中央隆起面外周縁との間に、各中央隆起面を包囲するようにした凹部で、それら各凹部の最も低い（浅い、あるいは薄い）底状部分同士が表裏一致するよう規制して配され、且つ人体における親指やその他の指の指先摘持面の曲率半径の一般的値よりも僅かに大きな曲率半径Ｒに設定したもので、しかも小円板体の中心から同一半径となる箇所の表裏面に対称形状をなしており、指先の曲面形状にも良く馴染み、コイン周回り全方位の何れからであっても、親指とこれに対峙する他の指先との間に容易且つ確実に挾持することができるようにした摘持用の環状凹部を形成し、各中央隆起面外周縁と各環状凹部内周縁との輪郭部分、ならびに、各環状凹部外周縁とリム部内周縁との輪郭部分の夫々は、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成した構成を要旨とするとコインである。                                                                                      
【００１０】
そして、より具体的な表現では、所定直径の小円板体であって、その他周側面に連続する円形表裏各面の夫々の外縁がわ任意幅部分を当該小円板体の最大肉厚寸法に規制したリム部に形成すると共に、該リム部に囲まれた円形表裏各面の夫々の小円板体の中心に同心状となる円形状の少なくとも輪郭範囲を、当該小円板体の最大肉厚寸法を超えない範囲に残された中央隆起面とし、表裏面のリム部を除いた中央隆起面を含む表裏面の主要面範囲に絵柄や文字、またはそれらの組合せからなる所望の標識が、当該小円板体の最大肉厚寸法を超えない範囲の凹凸部分として表してある識別表示面に形成するようにした上、それら円形表裏各面の夫々のリム部内周縁と中央隆起面外周縁との間に、各中央隆起面を包囲するようにした凹部で、それら各凹部の最も低い（浅い、あるいは薄い）底状部分同士が表裏一致するよう規制して配され、且つ人体における親指やその他の指の指先摘持面の曲率半径の一般的値よりも僅かに大きな曲率半径Ｒに設定したもので、しかも小円板体の中心から同一半径となる箇所の表裏面に対称形状をなしており、指先の曲面形状にも良く馴染み、コイン周回り全方位の何れからであっても、親指とこれに対峙する他の指先との間に容易且つ確実に挾持することができるようにした摘持用の環状凹部を、当該小円形体中心から同心状配置となる配置関係とするよう表裏面の対称箇所に対応させるよう形成し、各中央隆起面外周縁と各環状凹部内周縁との輪郭部分、ならびに、各環状凹部外周縁とリム部内周縁との輪郭部分の夫々は、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成してなるものとしたコインとなる。                                          
【発明の効果】
【００１１】
以上のとおり、この発明のコインによれば、小円板体表裏各面の夫々のリム部と識別表示面との間の凹部に臨む各リム部の輪郭部分だけは、当該小円板体中心を通る肉厚方向断面において、相隣る二つの面の交差によって生じる稜相当の形状とはならない円滑断面形となるよう規制、形成してあることから、大勢の人々の手に触れ、自動販売機や硬貨選別機、硬貨計数機、現金自動預け払い機等に供給される貨幣コイン（硬貨）、あるいは同様に大勢の人々の手に触れ、パチンコ機、パチスロ機あるいはゲーム機等に供給される遊技用媒体としての遊興用コイン等様々なコインやメダルにおける、特に表裏リム部と識別表示面との間の凹部に臨む各リム部の輪郭部分に、油脂汚れや手垢等のしつこい汚れや、これらに伴う塵埃等の詰まりを悉く防止して衛生的に保つことができ、しかも従来型のリム部の輪郭部分に段差形状を有するコインに比較して洗浄性が高く、比較的簡単且つ短時間の洗浄作業によって高い洗浄効果が得られてコインの衛生管理上の作業負担を軽減することができる上、コインを利用する顧客には常に綺麗に洗浄し終えたコインの提供が可能となって好印象を与え、顧客誘因にも役立つ等といった数々の秀れた特徴が得られるものである。
【００１２】
また、この発明のコインは、小円板体の外周側面に連続する円形表裏各面の夫々の外縁がわ任意幅部分を、当該小円板体の最大肉厚寸法に規制したリム部に形成したことにより、前述の各種機械に投入した場合に、そのコイン小円板体形状の外周輪郭を正確に計測して正当な貨幣あるいはコインであるか否か認証可能なものとすることができ、しかも、リム部に囲まれた円形表裏各面の夫々の主要面を、絵柄や文字、またはそれらの組合せからなる所望の標識が、当該小円板体の最大肉厚寸法を超えない範囲の凹凸部分として表してある識別表示面に形成したものでは、各種機械での取り扱いを実現、可能とした上、人々が目視によってコインの標識を明確に識別し、適正に利用することができるようになるという、従来型のコインと同等の機能を発揮するものとなり、さらに、円形表裏各面の夫々のリム部と識別表示面との間の凹部に臨む各リム部の輪郭部分を、従来型のコインやメダルには採用されたことのない、小円板体中心を通る肉厚方向断面において、相隣る二つの面の交差によって生じる稜相当の形状とはならない円滑断面形となるよう規制、形成してあり、これまでに無い新規な外観のものとなって他のコイン類との識別機能を高めると共に、従前までの物とは違う新規な外観のコイン類とすることができるという大きな効果を奏するものとなる。
【００１３】
そして、この発明のコインにおける円形表裏各面の夫々のリム部と識別表示面との間の凹部に臨む各リム部の輪郭部分が、当該小円板体中心を通る肉厚方向断面において、相隣る二つの面の交差によって生じる稜相当の形状とはならないよう、適宜半径のＲ面に仕上げられた連続面によって円滑断面形となるよう規制、形成したものでは、表裏面各リム部の輪郭部分を、さらに明確な断面円滑形状のものとすることが可能となり、油脂や手垢、塵埃等の汚れ付着の原因となり得るエッジ形成を無くして清潔な状態を保持し易くなり、仮に汚れても洗浄性に秀れものになと共に、流麗な外的優美性を実現し得てコイン自体の質感を向上させるという効果も得られることとなる。
【００１４】
さらに、この発明のコインにおける円形表裏各面の夫々のリム部と識別表示面との間の凹部に臨む各リム部の輪郭部分が、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成したものでは、９０°を超える鈍角をなして交叉する二面は、相互間の極端な段差部分を確実に解消して汚れの付着を防止する性能を一段と高めたものとなる上、Ｒ面仕上げによって二面交叉部分におけるエッジの形成も無くなり、従来型のコインには全く存在していなかった特異且つ豊艶な外観を得て見た目にも美しい秀れた造形物となる。
【００１５】
さらにまた、この発明のコインにおける小円板体、円形表裏各面の夫々の中央所定範囲を、当該小円板体の最大肉厚寸法を超えない範囲に残された中央隆起面とし、表裏面のリム部を除いた中央隆起面を含む表裏面の主要面範囲に絵柄や文字、またはそれらの組合せからなる所望の標識が、当該小円板体の最大肉厚寸法を超えない範囲の凹凸部分として表してある識別表示面に形成するようにした上、それら円形表裏各面の夫々のリム部内周縁と中央隆起面外周縁との間に、各中央隆起面を包囲する環状の凹部を形成し、各中央隆起面外周縁と各環状凹部内周縁との輪郭部分、ならびに、各環状凹部外周縁とリム部内周縁との輪郭部分の夫々は、当該小円板体中心を通る肉厚方向断面において、互いに９０°を超える鈍角を確保して相隣る平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成したものでは、表裏凹部の内外輪郭部分の夫々を滑らかな連続面に仕上げたものとし、汚れが付着するのを効果的に防止でき、さらにコイン表裏面の中央所定範囲を中央隆起面として残したものでは、それら表裏面夫々の中央隆起面外周側であってリム部の内側に環状の凹部を形成したものとなり、しかも各中央隆起面外周縁と各環状凹部内周縁との輪郭部分、ならびに、各環状凹部外周縁とリム部内周縁との輪郭部分の夫々を円滑断面形状に連続させて極めて特徴的な外観を呈するコイン形状を実現することが可能となる上、表裏中央隆起面の最大肉厚を、当該小円板体の最大肉厚寸法を超えない範囲に設定したものでは、コインの供給を受ける各種機械の誤作動を回避し、通常のコインと同等の利用が可能であり、奇抜なデザインと実用性とを両立し、利用者に従来型のコインでは得られない満足感を付与できるという効果をもたらすこととなる。
【００１６】
加えて、コイン表裏面の中央隆起面周囲を囲む環状に形成されたＲ面形状の凹部が、各種機械のコイン投入用スロットに投入する際の摘持用の溝となって指先の曲面形状にも良く馴染み、コイン周回り全方位の何れからであっても、親指とこれに対峙する他の指先との間に容易且つ確実に挾持することができ、しかも小円板体の中心から同一半径となる箇所の表裏面に対称形状をなす環状の凹部を形成したものでは、摘み持つ指先同士の力のベクトルがコインの厚み方向に合致して向き合って確りと挾持可能となり、さらに、指先間に挾持したコインを投入用スロットに押し込むときには、小円板体に同心状の配置であって表裏面を互いに同一の直径に設定した中央隆起面が、表裏対称形状に設定された環状凹部との間に高低（厚み寸法）差を形成し、摘持指先との間に高い摩擦力を発現し、コインの姿勢を傾けさせずに安定させたまま確実に挿し込み操作できるものとなり、従来型の平板型のコインに比較して格段に取り扱い易く、健常者は勿論のこと、手指の動きが覚束無くなった高齢者や、手指に障害をもつ人々等にも取り扱い易いコインとなり、バリアフリーデザインの硬貨、コイン、メダル等としても特段の効果を発揮することになる。                                                                
【発明を実施するための最良の形態】
【００１７】
上記したとおりの構成からなるこの発明の実施に際し、その最良もしくは望ましい形態について説明を加えることにする。
小円板体は、コインの全体を形成し、所定の直径および厚みを確保して貨幣用硬貨、メダルあるいはパチスロ機やゲーム機に用いられる遊技媒体としての遊興用コイン等を形成する本体としての機能を果たすものであって、当該発明のコインの外郭形状を概念的に表現したものであるということが可能な外、別の表現によって示すと、コインを製造する前段階のブランクであるということも可能であり、各種貨幣硬貨、各種メダル、各種遊興用コイン等の様々な直径および厚み寸法に設定されたものとすることが可能であって、基本的には、所定厚み寸法の金属板材料から小円板状のブランクを打ち抜き、該ブランクの外周側面および表裏面の夫々に、所望のプレス加工を施して製造したものとすべきであるが、所定直径の円柱状金属棒を所定の厚みに切断し、その他周壁面および表裏面の夫々に適宜ローレット加工やフライス加工等を含む切削加工やレーザー加工、放電加工、エッチング処理等の各種彫刻加工により刻印状の加工を行うこと等が可能であり、必要に応じて製造工程中の適時に焼き鈍し等の熱処理を施したものとすることが可能である。
【００１８】
また、小円板体は、単一または複数の素材を組み合わせたものとすることが可能であり、より具体的に示すと、金、白金（パラジウム、イリジウム）、銀、銅、アルミニウム、ニッケル、クロム、チタン、鉄等の様々な金属、またはマグネシウム合金、ステンレス鋼、黄銅（真鍮）、白銅、洋銀（洋白）、青銅等の様々な合金、あるいはそれらの金属同士を組み合わせた所謂バイメタルコイン（二重コイン）等とすることが可能であり、金属の外にセラミックス製または合成樹脂製等の非金属材料からなるものや、それら金属、合金、非金属等の素材を組み合わせたものとすることが可能であり、外周壁面および表裏面等に刻印を施した後に、金鍍金、銀鍍金、ニッケル鍍金、クロム鍍金、クロメート、キリンス処理、アルマイト処理、セラ鍍金（シリカ被膜、アルミナ系被膜）電着塗装等、適宜表面処理を行うことが可能であり、勿論それらに磨きや洗浄等を施したものとすることができることは言うまでもない。
【００１９】
リム部は、小円板体の外周側面に連続する円形表裏各面の夫々の外縁がわ任意幅部分を当該小円板体の最大肉厚寸法に規制し、小円板体の輪郭形状を明確なものにする機能を果たすものであり、自動販売機や硬貨選別機、硬貨計数機、現金自動預け払い機等に正常に投入、利用可能な貨幣とし、あるいはパチンコ機、パチスロ機またはゲーム機等に正常に投入して利用可能な遊興用コインとして機能するよう、コインあるいはメダルの外郭形状、寸法を設定するものであり、しかも表裏凹部に隣接する周縁部分が、利用者の手指との摩擦を確保し、不用意に落下させることなく確実に保持できるようにするものであり、外周壁面および表裏壁面側の任意幅部分の夫々に、適宜滑り止めおよび／または装飾用の凹凸加工を施したものとすることが可能であり、その一部もしくは全部を、コイン中央側とは異なる金属製としたり、異なる表面処理を施したものとする等も適宜必要に応じて採用可能である。
【００２０】
識別表示面は、小円板体のリム部に囲まれた円形表裏各面の夫々の主要面を、絵柄や文字、またはそれらの組合せからなる所望の標識が、当該小円板体の最大肉厚寸法を超えない範囲の凹凸部分に形成され、各種表示面として機能する外、全体に美的外観をもたらすという機能をも果たすものであり、より具体的に示すと硬貨における表裏面の何れかに発行国名、額面、製造年月日、絵柄、模様等の標識を表示したものであると云うことができ、あるいは、遊興用コイン・メダルにおける表裏面に、絵柄や文字、またはそれらの組み合わせなどの標識を表示する部分であり、その標識は、生産性を考慮してプレス成形によるものとすべきであるが、切削加工、エッチング、放電加工、レーザー加工等、様々な加工技術による彫刻の何れかによるものとしても差し支えなく、その表示可能範囲は、リム部を除く小円板体の表裏面の略全体内か、またはその中の任意の部分とすることができる。
【００２１】
また、識別表示面の標識は、各種加工技術によって形成された彫刻とすべきであるが、適宜鍍金や塗装等の表面処理、または人工もしくは天然の宝石やガラス、プラスチック、七宝焼き等の装飾用部品の埋め込み等を施したものとすることが可能であり、凹凸を生じず、平滑面状に仕上げることのできる鍍金、塗装、装飾用部品の埋め込み等を施す場合には、小円板体の表裏主要面の外、リム部を含む全体を識別表示面とすることも不可能ではない。
【００２２】
凹部は、小円板体の外縁がわとなるリム部の、表裏主要面側に臨み、段差部分や角隅部分、あるいは相隣る二つの面の交差によって生じる稜相当の形状を形成せず、円滑な断面形状によって連なるよう形成され、上記リム部と識別表示面との境目としての機能を果たし、リム部の最大肉厚よりも薄い肉厚寸法に設定されたものとしなければならず、小円板体表裏各面の夫々のリム部に臨む輪郭部分は、当該小円板体中心を通る肉厚方向断面において、相隣る二つの面の交差によって生じる稜相当の形状とはならないよう、適宜半径のＲ面に仕上げられた連続面によって円滑断面形となるよう規制、形成してなるものとすべきであり、また、小円板体表裏各面の夫々のリム部に臨む輪郭部分は、当該小円板体中心を通る肉厚方向断面において、互いに９０°を超える鈍角を確保して相隣る、平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成してなるものとするのが望ましい。
【００２３】
また、凹部は、プレス成形または切削加工あるいはエッチング加工、レーザー加工、放電加工等によって平滑な凹面状に形成されたものとすべきであるが、各種絵柄や文字、またはそれらの組み合わせ等の彫刻を施したり、あるいは滑り止め用の凹凸形状を刻設したものとすることが可能である外、適宜鍍金や塗装等の表面処理、または人工もしくは天然の宝石やガラス、プラスチック、七宝焼き等の装飾用部品の埋め込み等を施したものとすることが可能であり、凹凸を生じず、平滑面状に仕上げることのできる鍍金、塗装、装飾用部品の埋め込み等を施す場合には、隣接するリム部や表裏主要面に連続するものとして絵柄や文字またはそれらの組み合わせの表示、あるいは装飾部品の埋設等を施すことができる。
さらにまた、凹部は、外周リム部の内側にあって、小円板体の中心から同一半径箇所に相当する表裏面に対称形状をなして形成された環状のものとすることができ、このような表裏面に同心状の環状凹部を形成した場合には、指先による摘持を考慮して、各凹部の最も低い（浅い、あるいは薄い）底状部分同士を、表裏一致するよう配置させたものとするのが望ましい。
【００２４】
中央隆起面は、小円板体の外周縁に形成されたリム部の中央側に相隣る凹部の中央側となる表裏主要面、相当範囲を、リム部最大肉厚寸法を超えない範囲の肉厚状の凹凸部分とし、凹部の形成によって失われたコイン重量を補い、硬貨あるいは遊興用コインとしての利用を実現可能とすると共に、コインの投入を受ける各種機械のコイン投入用スロットに、挿し入れる場合に、コインの外周側付近を摘持した指先に係合し、コインの押し込み操作を補助可能とする上、外観上の新規なデザイン性を得るという機能を果たすものであり、少なくとも輪郭周縁部分を、リム部最大肉厚寸法を超えない範囲で周囲凹部よりも肉厚の寸法に設定したものとしなければならず、その表面は比較的曲率の大きな球面型、または周縁部のみを連続状あるいは断続状に隆起させた凹面型、先端側を平坦面状に切除した円錐型もしくは多角錐型、あるいは絵柄や文字またはそれらの組み合わせによる識別表示面、刻印形状の突形状部分それ自体とする等、様々な形状に設定することができ、当該中央隆起面それ自体を、識別表示面とすることが可能である外、周囲凹部およびリム部とは異なる金属製とするか、または各種表面処理の何れかを施したものとすることができ、また、中央隆起面および凹部を同一素材製、または同一の表面処理を施したものとし、リム部のみを別の外観あるいは質感を得るものとすることができる。
【００２５】
小円板体表裏の中央隆起面は、凹部に臨む外周縁部分の輪郭部分を、当該小円板体中心を通る肉厚方向断面において、相隣る二つの面の交差によって生じる稜相当の形状とはならない円滑断面形となるよう規制、形成してなるものとすべきであり、当該小円板体中心を通る肉厚方向断面において、凹部に臨む外周縁の輪郭部分を、相隣る二つの面の交差によって生じる稜相当の形状とはならないよう、適宜半径のＲ面に仕上げられた連続面によって円滑断面形となるよう規制、形成してなるものとするのが望ましく、同凹部に臨む外周縁部分の輪郭部分を、当該小円板体中心を通る肉厚方向断面において、互いに９０°を超える鈍角を確保して相隣る平面同士または曲面同士、もしくは平面と曲面との組み合わせによる二つの面をなし、互いの交差によって生じる稜相当の形状とはならないよう、適宜半径のＲ面に仕上げられた連続面によって円滑断面形となるよう規制、形成してなるものとすることができ、コイン投入機械の投入用スロットへの押し込み操作性を高める目的から、表裏面を同心円形且つ表裏対称形状のものとするのが望ましい。
以下では、図面に示すこの発明を代表する実施例と共に、その構造について詳述することとする。                                                                                                                
【実施例１】
【００２６】
図１の断面化したコインの斜視図、図２のコインの断面図、図３のリム部の断面図および図４の図３中鎖線円Ａに囲まれた凹部付近の断面図に図示される事例は、所定直径の小円板体１であって、その他周側面に連続する円形表裏各面の夫々の外縁がわ任意幅部分を当該小円板体１の最大肉厚寸法に規制したリム部２に形成すると共に、該リム部２に囲まれた円形表裏各面の夫々の主要面３を、絵柄や文字、またはそれらの組合せからなる所望の標識が、当該小円板体の最大肉厚寸法を超えない範囲の凹凸部分として表してある識別表示面４に形成するようにした上、それら円形表裏各面の夫々のリム部２と識別表示面４との間の凹部５に臨む各リム部２の輪郭部分だけは、当該小円板体１中心を通る肉厚方向断面において、相隣る二つの面の交差によって生じる稜相当の形状とはならない円滑断面形となるよう規制、形成してなる、この発明のコインにおける代表的な一実施例を示すものである。
【００２７】
当該コイン１は、図１ないし図４中に示すように、ステンレス鋼板を打ち抜き加工して得た直径Ｄ２５ｍｍ、最大厚みＴ１．６ｍｍに設定されたブランクからなる小円板体１であり、その他周縁が、ローラー等による転造加工または金型プレス成形等によって厚ｔ１．６ｍｍ、表裏面幅ｗ０．７ｍｍであって、表裏面側角部分の夫々が９０°に仕上げられたリム部２に形成されており、該リム部２はその他に、表裏面間の外周壁面を、小円板体中心の周回り方向に軸心を有する円筒面状、またはＲ面仕上げされた多角筒面状に形成したものとすることが可能であり、リム部２が形成される範囲の一部または全部に、滑り止めあるいは装飾もしくは実用等の為の凹凸形状を刻設したものとすることができる。
【００２８】
小円板体１の表裏主要面３，３の各中央に相当する範囲には、該小円板体１に同心状の配置となる直径ｄ１０ｍｍの平面円形状に設定された中央隆起面６，６が、その最大厚み寸法Ｔを、リム部２の厚み寸法ｔと同じ１．６ｍｍに設定されたものに形成され、さらに、同小円板体１表裏面の中央隆起面６，６の外周側であってリム部２の内側となる環状の範囲には、小円板体１の中心を挟む片側の幅寸法が６．８ｍｍとなる平面環状の範囲に、小円板体１の中心を通る肉厚方向断面において、半径Ｒ１９．５ｍｍのＲ面取り型凹面形状をなし、最小厚さが１．０ｍｍに設定された環状の凹部５，５を、表裏面対称形状をなすよう形成したものとなっている。
【００２９】
各凹部５，５は、半径Ｒ１９．５ｍｍのＲ面取り型凹面形状に形成しているが、人体における親指やその他の指の指先摘持面の曲率半径の一般的値よりも僅かに大きな曲率半径Ｒか、あるいは十分に大きな曲率半径Ｒに設定し、また、各凹部５，５の幅寸法が６．８ｍｍとなるが、人体における親指やその他の指の第一関節の長さ寸法の一般的値よりも狭い幅に設定し、利用者が誰でも指先間に容易に挾持できる形状に設定したものとするのが望ましく、凹部５，５の一部または全体に、コイン１に同心円状に連続状となる複数の凹凸模様を形成し、指先によって挾持する際のコイン１直径（中心に交叉する）方向の摩擦力を高めたものや、あるいは艶消し状の面仕上げ処理を施して摘持における全方位の摩擦力を高めたものとすることが可能である。
【００３０】
小円板体１の中心を通る肉厚方向断面におけるリム部２と、それに連なる凹部５との間であって当該リム部２表裏面の、図２および図３中における幅ｗ０．７ｍｍの環状平面における平面形断面と、その内側の凹面５の曲率半径Ｒ１９．５ｍｍの円筒形断面の接線Ｌとの交叉角度θを、９０°を超える鈍角に設定し、さらに、図４中に示すように、その相隣る二つの面の交差によって生じる稜相当の形状とはならないよう、適宜半径ｒ０．５ｍｍのＲ面に仕上げられた連続面によって円滑断面形となるよう規制、形成してなるものとなっている。
【００３１】
図１および図２中に示す、当該小円板体１表裏の中央隆起面６，６には、絵柄や文字、またはそれらの組合せからなる所望の標識が、当該小円板体の最大肉厚寸法Ｔ１．６ｍｍを超えない範囲の凹凸部分として表してある識別表示面４，４に形成したものにすると共に、同小円板体１表裏面の中央隆起面６，６および凹部５，５を含む範囲に識別表示面４，４を形成したものとすることも可能であって、何れの場合にも、その加工に際しては、中央隆起面６，６および凹部５，５の刻設と同時あるいは別工程によって彫刻したものとすることが可能であり、さらにまた、中央隆起面６，６を識別表示面４，４とし、凹部５，５には滑り止め用の凹凸形状を刻設したものとすることができる。
【００３２】
当該コイン１は、図５の凹部形状を変更したコインの断面図に示すように、表裏面の凹部５，５の底部付近における幅Ｐの平面環状の範囲を、表裏平行な平板状に仕上げたものとすることが可能である外、図６の表裏主要面の全体を平坦面状に形成したコインの断面図に示すように、小円板体１の直径Ｄを２５ｍｍ、リム部２の最大厚み寸法ｔを１．６ｍｍ、同リム部２の表裏面幅寸法ｗを２．０ｍｍ、主要面３，３厚さＴが１．１ｍｍに夫々設定され、各リム部２と凹部５とが連なる相互二面を、半径Ｒ１９．５ｍｍの曲面によって円滑断面形となるよう連続、形成したものとすることが可能であり、このようにコイン１表裏の主要面３，３が、凹部５，５と一体化したものの場合には、主要面３，３およびその周囲の凹部５，５相当部分を含む範囲を、識別表示面４とすることが可能である。
【００３３】
コイン１の各部寸法もまた、様々に設定することが可能であってパチスロ機用の遊興用コイン１とする場合にあっては、各種パチスロ機の遊技用媒体となるコインのサイズおよび重量に合致させたものとすることができ、図２および図６中の直径Ｄが１９．５ｍｍ、２１．３ｍｍ、２２．２ｍｍ、２３．０ｍｍ、２４．２ｍｍ、２５．０ｍｍ、２６．０ｍｍ、２６．７ｍｍ、２７．０ｍｍ、２８．０ｍｍ、２８．５ｍｍ、２９．０ｍｍ、３０．０ｍｍまたは３０．３ｍｍ等に、また、リム部２の厚さｔを１．６ｍｍまたは２．０ｍｍ等に夫々設定可能であって、さらに外の直径Ｄおよびリム部２の厚さｔに設定可能であり、これら外郭寸法に応じて各凹部５，５の曲率半径Ｒや主要面厚さＴ、リム部２の幅ｗおよび中央隆起面６，６の直径ｄ等の寸法も適宜、設定することができる。
【００３４】
（実施例の作用）
以上のとおりの構成からなるこの発明のコイン１は、図１ないし図４中に示した形状に設定したことにより、小円板体１の外径寸法Ｄ、リム部２の厚さｔ、および主要面３，３の厚さＴを適宜設定したことにより、対応する機種のパチスロ機に誤作動無く使用することが可能である上、同小円板体１外周縁のリム部２の内側に形成された環状凹部５，５を、所定の曲率半径Ｒ１９．５ｍｍの円筒面状に形成すると共に、該リム部２と環状凹部５，５との二面を、図３中に示したように、９０°を超えた鈍角θで交叉するよう設定し、さらに、図４中に示したように、それら接続部分を半径ｒの曲面によって円滑断面状に連続させたものとしてあり、表裏主要面３，３と周囲リム部２との間の段差状の凹凸を無くして油脂汚れや手垢等の付着を阻止可能とし、コイン洗浄機等の洗浄水が隈無く届いて全体にムラ無くブラシやスポンジその他の洗浄具類の摩擦が到達し、洗浄作業性を高めることとなる。
【００３５】
また、小円板体１の表裏中央に中央隆起面６，６を形成し、その他周側とリム部２との間に環状凹部５，５を形成してあり、従来型には無い独特の形状を有し、個性的な外観をもつコイン１を提供することができ、しかも、表裏各中央隆起面６，６と環状凹部５，５との二面の連続部分を、図示しない所定半径のＲ面取り仕上げとしたものでは、段差状の凹凸を無くして油脂汚れや手垢等の付着を阻止し、その滑らかな連続面形状によって高い洗浄性を得るものとなる。
【００３６】
さらに、環状凹部５，５は、周囲リム部２および中央隆起面６，６の間に曲率半径Ｒが１９．５・、半径方向幅が６．８・に設定された曲面凹欠状に形成され、利用者の指先の曲面形状に良く馴染んで係合し易く、挾持の際に高い摩擦力を確保可能であって不用意な落下を確実に阻止することができ、しかもコイン１の周回り全方位の何れからも摘持可能であり、パチスロ機のコイン投入用スロットへ投入する際に、コイン１の中央から外側に外れた適所を、厚み方向から人差し指と親指との指先間に摘み持つのに最適な形状であって、投入用スロットに押し込むときには、コイン１表裏の中央隆起面６，６との高低（厚み寸法）差によって直径方向（小円板体１の中心に直交する方向）の高い摩擦力を得るものとなる。
【００３７】
図５に示したコイン１は、表裏面凹部５，５の半径方向幅寸法の中央に相当する底面夫々に、所定幅Ｐの平板状部分を形成してあって、コイン１の最低厚み寸法を低下させることなく、所望の厚み寸法を確保した上、凹部５，５の幅寸法および外周側ならびに内周（中心）側の曲率半径Ｒを十分に確保できるものとし、直径Ｄが比較的大きなコインやメダルにも高いデザイン性と取り扱い易さとを実現するものとなる。
【００３８】
図６に示したコイン１のように、外周縁に形成されたリム部２の表裏面側の幅寸法ｗを比較的大きく設定したものでは、従来型のコインでは得られない外観形状を呈するものとなり、しかもリム部２の外周壁面のみに留まらず、表裏面側部分（幅寸法ｗの範囲）にも絵柄や文字あるいはそれらの組み合わせ等、様々な刻印や彫刻等の装飾を施すことが可能となる。
【００３９】
（実施例の効果）
以上のような構成からなる実施例のコイン１は、前記この発明の効果の項で記載の特徴に加え、図１ないし図４中に示したように、図７中に示した従来型コイン１のリム部２の角隅２１を廃止し、比較的曲率半径Ｒの大きな凹部５，５を形成したものでは、従来型のコイン１と同等以上の摘持性を得ることができると共に、段差部分における油脂汚れや手垢等の付着という課題を確実に解消し、図３および図４中に示したように、リム部２と凹部５との二面を、９０°を超える鈍角θによって連続させ、しかも半径ｒ０．５ｍｍのＲ面仕上げとしてあって高い洗浄性も確保できる上、図１および図２に示したように、表裏面リム部２と中央隆起面６，６との間に各中央隆起面６，６を囲む環状の凹部５，５を形成してあり、パチスロ機の投入用スロットにコイン１を投入する際に、該コイン１のリム部２直近内側付近であってコイン１主要面３，３の外周側付近となる適所表裏を指先間に摘持することとなるが、コイン１の周回り方向の何れからであっても環状凹部５，５を挾持可能であり、しかもそれら凹部５，５は表裏面の一致する箇所に配置、形成され、指先の曲面形状にもよく合致して高い摩擦力を得易く、コイン１中心から外れた部分を確実に掴むことができ、不用意な落下や思うように挾持できずに煩わしい思いをすることが無く、思いどおりに投入用スロットにコイン１のリム部２を位置合わせすることができるという効果が得られる。
【００４０】
さらに、パチスロ機の投入用スロットにコイン１のリム部２を合わせ、押し込み投入するときには、該コイン１の表裏中央隆起面６，６が形成する凹部５，５底面部分との肉厚寸法差が、コイン１直径方向（小円板体１の中心に交叉する方向）の摩擦力を発現することから、図７中に示したような、従来型の平板状コイン１を押し込む場合に比較し、より確実な押し込み操作が可能となり、パチスロ機への煩雑な投入動作を円滑且つ確実なものとして実質的な使用性能を向上することができるという秀れた効果を発揮し、また、コイン１表裏の中央に形成された中央隆起面６，６は、材質の変更によるバイメタルコインや、その部分のみの表面処理を周囲と異なるものにするなどして、形状だけでなく色調や質感にも変化を与えることができ、より付加価値に秀れたコインやメダルを製造することができるものとなる。
【００４１】
図５に示したコイン１は、その表裏凹部５，５底面部分を幅寸法Ｐの平板状に仕上げたものでは、凹部５，５の形状をさらに変化させ、表裏凹部５，５を指先間に摘んだときの挾持感や触感を変更することが可能であり、しかも比較的大型のコイン１の場合であっても十分な曲率半径Ｒを与えた上、凹部５，５の底部間厚み寸法も十分に確保してコイン１の重量や耐久強度等を適正に設定できるという利点がある。
【００４２】
図６に示したコイン１は、リム部２の表裏面側となる最大厚み寸法ｔに相当する範囲の幅寸法ｗを、図７中に示してあるように、従来型のコイン１に比較して大幅に大きく設定してあり、コイン１自体の重厚感を高めると共に、リム部２の機械的強度および耐摩耗性を高める上、該幅寸法ｗ範囲にも各種の刻印や彫刻等を施すことが可能となり、特徴的な外観を呈するものとして付加価値の高いコインやメダルとすることができる。
【００４３】
（結  び）
叙述の如く、この発明のコインは、その新規な構成によって所期の目的を遍く達成可能とするものであり、しかも製造も容易で、従来型のコインと略同等の工程および工数によって製造することが可能である上、質感に優れた形状をもちながら比較的低廉に製造することができ、汚れが付きにくく洗浄作業性にも優れていることから、洗浄工数や洗浄剤、洗浄水等の使用量をも大幅に削減することができ、従前までに比較して遙かに経済的なものとして維持、管理できるものとなることから、常に清潔に管理しておくことが求められる遊興用コインやメダル等の外、その実用性に秀れた形状によって貨幣用の硬貨の形状としても有益なものとなり、パチンコ・パチスロ業界やゲーム業界は固よりのこと、コインやメダルの製造業界および貴金属製コイン類を製造、販売する貴金属業界等からも高く評価され、広範に渡って利用、普及していくものになると予想される。                                                                
【図面の簡単な説明】
【００４４】
図面は、この発明のコインの技術的思想を具現化した代表的な幾つかの実施例を示すものである。
【図１】断面化したコインを示す斜視図である。
【図２】コイン形状を示す断面図である。
【図３】リム部形状を示す断面図である。
【図４】図３中の鎖線円Ａ内を拡大して示す断面図である。
【図５】凹部形状に変更を加えたコイン形状を示す断面図である。
【図６】主要面形状に変更を加えたコイン形状を示す断面図である。
【図７】従来型コインの形状を示す断面図である。
【符号の説明】
【００４５】
１      コイン（小円板体）
２      リム部
２１    同  角隅
３      主要面
４      識別表示面
５      凹部
６      中央隆起面
Ｄ      コイン直径
ｄ      中央隆起面の直径
Ｔ      主要面の最大厚さ
ｔ      リム部の最大厚さ
ｗ      表裏面側リム部の幅
Ｒ      凹部の曲率半径
Ｌ      曲率半径円の接線
θ      ９０°を超える鈍角
ｒ      面取り半径
Ｐ      凹部底面の平行範囲幅                                            
【図１】
0004832115.tif 000002
【図２】
0004832115.tif 000003
【図３】
0004832115.tif 000004
【図４】
0004832115.tif 000005
【図５】
0004832115.tif 000006
【図６】
0004832115.tif 000007
【図７】
0004832115.tif 000008